【手続補正書】
【提出日】平成19年11月2日(2007.11.2)
【手続補正１】
【補正対象書類名】特許請求の範囲
【補正対象項目名】全文
【補正方法】変更
【補正の内容】
【特許請求の範囲】
【請求項１】
基本的に、パチンコ台面に設けてある湾曲状レールに懸架した直状フレームとゲージとからなる組物ゲージであって、
（ｉ）該フレームが基本単位として矩形状の平板から構成され、
（ｉｉ）該ゲージが、基本的に基板とそれに突設した支持脚から構成され、しかも該支持脚が、それ単独、及び／又は支持脚の先端に角度測定冶具を一体に及び／又は着脱自在に設けた支持脚、及び／又は支持脚の他端に分度盤を設けた支持脚、及び／又は基板の他端に嵌挿してスライド体付き支持脚のいずれか或いはそれらの組合せであることを特徴とするパチンコ釘角度測定ゲージ。
【請求項２】
基本的に、パチンコ台の左右縦枠板又は上下横枠板に沿って略中央に設けた褶動軸に嵌合した上下又は左右にスライド可能なコ字状又は円筒状移動体と、移動体の側面に回転可能に取付けたアームを介してフレームとゲージとからなる組物ゲージであって、
（ｉ）該フレームが基本単位として矩形状の平板から構成され、
（ｉｉ）該ゲージが、基本的に基板とそれに突設した支持脚から構成され、しかも該支持脚が、それ単独、及び／又は支持脚の先端に角度測定冶具を一体に及び／又は着脱自在に設けた支持脚、及び／又は支持脚の他端に分度盤を設けた支持脚、及び／又は基板の他端に嵌挿してスライド体付き支持脚のいずれか或いはそれらの組合せであることを特徴とるパチンコ釘角度測定ゲージ。
【請求項３】
パチンコ台と台間の仕切板に直接にアームを取り付けるか、或いは仕切板の略中央に設けた褶動軸に吸盤とバネ体とにより取り付けたアームを介してフレームとゲージとからなる組物ゲージであって、
（ｉ）該フレームが基本単位として矩形状の平板から構成され、
（ｉｉ）該ゲージが、基本的に基板とそれに突設した支持脚から構成され、しかも該支持脚が、それ単独、及び／又は支持脚の先端に角度測定冶具を一体に及び／又は着脱自在に設けた支持脚、及び／又は支持脚の他端に分度盤を設けた支持脚、及び／又は基板の他端に嵌挿してスライド体付き支持脚のいずれか或いはそれらの組合せであることを特徴とするパチンコ釘角度測定ゲージ。
【請求項４】
基本的に、パチンコ台の盤面、脇板、幕板、カウンターのいずれかに直接にアームを取り付け、該アームにフレームを介してゲージを設けた組物ゲージであって、
（ｉ）該フレームが基本単位として矩形状の平板から構成され、
（ｉｉ）該ゲージが、基本的に基板とそれに突設した支持脚から構成され、しかも該支持脚が、それ単独、及び／又は支持脚の先端に角度測定冶具を一体に及び／又は着脱自在に設けた支持脚、及び／又は支持脚の他端に分度盤を設けた支持脚、及び／又は基板の他端に嵌挿してスライド体付き支持脚のいずれか或いはそれらの組合せであることを特徴とするパチンコ釘角度測定ゲージ。
【請求項５】
フレームとレール、役物、釘等との固定を助けるために、（イ）それらが吸磁性体の場合には、種々の形状の磁石具又は固定具を用い、（ロ）それらがプラスチック製の場合には、両面テ−プを用いるか、或いは固定具を介して両面テ−プを用いることを特徴とする請求項１〜４のいずれかに記載のパチンコ釘角度測定ゲージ。
【請求項６】
フレームとゲージとの固定を助けるために、縦スライダと横スライダからなる固定具を単独に又はフレーム押えバーを介して用いることを特徴とする請求項１〜５のいずれかに記載のパチンコ釘角度測定ゲージ。
【請求項７】
組物ゲージを構成する各種要素の内、少なくともフレーム、フレーム押えバー、ゲージの水平度又は垂直度を維持するために、水準器又はレーザーレベラー、下げ振りを用いることを特徴とする請求項１〜６のいずれかに記載のパチンコ釘角度測定ゲージ。
【請求項８】
褶動軸が伸縮可能であり、且つアームがフレキシブル又は屈折可能であることを特徴とする請求項２〜４のいずれかに記載のパチンコ釘角度測定ゲージ。
【請求項９】
支持脚の下方部に照明システムを設け、該照明システムが発光又は蛍光塗料の塗布面によるか、或いは支持脚内部に照明部の埋込み、支持脚外付けで豆球の設置及び照明部、スイッチ部、電源部を基板及び／又はスライド体及び／又は支持脚のいずれかに設けて、ゲージ使用時の支持脚先端の明るさを維持することを特徴とする請求項１〜４のいずれかに記載のパチンコ釘角度測定ゲージ。
【手続補正２】
【補正対象書類名】明細書
【補正対象項目名】０００９
【補正方法】変更
【補正の内容】
【０００９】
即ち、本発明は、以下の通りである。
（１）  基本的に、パチンコ台面に設けてある湾曲状レールに懸架した直状フレームとゲージとからなる組物ゲージであって、
（ｉ）該フレームが基本単位として矩形状の平板から構成され、
（ｉｉ）該ゲージが、基本的に基板２とそれに突設した支持脚３から構成され、しかも、該支持脚が、それ単独、及び／又は支持脚の先端に角度測定冶具Ｃを一体に及び／又は着脱在に設けた支持脚、及び／又は支持脚の他端に分度盤２０（図１６）を設けた支持脚、及び／又は基板Ａの他端に嵌挿して組立可能及び／又は一体化スライド体付き支持脚６７（図１０）のいずれか或いはそれらの組合せである点にも特徴を有する（図１参照）。また、
（２）  基本的に、パチンコ台の左右縦枠板又は上下横枠板に沿って略中央に設けた褶動軸に嵌合した上下又は左右にスライド可能なコ字状又は円筒状移動体と、移動体の側面に回転可能に取付けたアームを介してフレームとゲージとからなる組物ゲージであって（
図４１）、
（ｉ）該フレームが基本単位として矩形状の平板から構成され、
（ｉｉ）該ゲージが、基本的に基板２とそれに突設した支持脚３から構成され、
しかも該支持脚が、それ単独、及び／又は支持脚の先端に角度測定冶具を一体に及び／又は着脱自在に設けた支持脚、及び／又は支持脚の他端に分度盤２０（図１６）を設けた支持脚、及び／又は基板の他端に嵌挿してスライド体付き支持脚６７（図１０）のいずれか或いはそれらの組合せである点にも特徴を有する（図１参照）。また、
（３）  パチンコ台と台間の仕切板８８に直接にアームを取り付けるか（図４５ー（ニ））、或いは仕切板の略中央に設けた褶動軸に吸盤とバネ体とにより取り付けたアームを介して（図４９ー（ロ））フレームとゲージとからなる組物ゲージであって、
（ｉ）該フレームが基本単位として矩形状の平板から構成され、
（ｉｉ）該ゲージが、基本的に基板２とそれに突設した支持脚３から構成され、しかも該支持脚が、それ単独、及び／又は支持脚の先端に角度測定冶具を一体に及び／又は着脱自在に設けた支持脚、及び／又は支持脚の他端に分度盤２０（図１６）を設けた支持脚、及び／又は基板の他端に嵌挿してスライド体付き支持脚６７（図１０）のいずれか或いはそれらの組合せである点にも特徴を有する（図１参照）。また、
（４）  基本的に、パチンコ台の盤面（図４８−（イ）、（ロ））、脇板；褶動板８２（図４８−（イ）、（ハ））、幕板８７（図４９−（イ））、カウンター８６（図４９−（ニ））のいずれかに直接にアームＦを取り付け、該アームにフレームを設けた組物ゲージであって、
（ｉ）該フレームが基本単位として矩形状の平板から構成され、
（ｉｉ）該ゲージが、基本的に基板２とそれに突設した支持脚３から構成され、しかも該支持脚が、それ単独、及び／又は支持脚の先端に角度測定冶具を一体に及び／又は着脱自在に設けた支持脚、及び／又は支持脚の他端に分度盤２０（図１６）を設けた支持脚、及び／又は基板の他端に嵌挿してスライド体付き支持脚６７（図１０）のいずれか或いはそれらの組合せである点にも特徴を有する（図１参照）。また、
（５）  フレームとレール、役物、釘等との固定を助けるために、（イ）それらが吸磁性体の場合には、種々の形状の磁石具又は固定具を用い、（ロ）それらがプラスチック製の場合には、両面テ−プを用いるか、或いは固定具を介して両面テ−プを用いる点にも特徴を有する（図５〜７）。また、
（６）  フレームとゲージとの固定を助けるために、縦スライダ４８と横スライダ４８’からなる固定具を単独に（図１７）又はフレーム押えバー２７を介して（図１８）用いる点にも特徴を有する。また、
（７）  組物ゲージを構成する各種要素の内、少なくともフレーム、フレーム押えバー、ゲージの水平度又は垂直度を維持するために、水準器又はレーザーレベラー、下げ振りを用いる点にも特徴を有する（図２８、２９、４０）。また、  （８）  褶動軸が伸縮可能であり（図４４−（イ））、且つアームがフレキシブル又は屈折可能である（図４５、４６）点にも特徴を有する。
（９）支持脚の下方部に照明システムを設け、該照明システムが発光又は蛍光塗料の塗布面によるか、或いは支持脚内部に照明部の埋込み、支持脚外付けで豆球の設置及び照明部、スイッチ部、電源部を基板及び／又はスライド体及び／又は支持脚のいずれかに設けて、ゲージ使用時の支持脚先端の明るさを維持する点にも特徴を有する（図１９（イ）、図２１（イ）（ニ））。また、
【手続補正３】
【補正対象書類名】明細書
【補正対象項目名】００１０
【補正方法】変更
【補正の内容】
【００１０】
本発明は下記の実施の態様をも包含する。
（１）コ字状移動体（褶動軸受８３）が板又は棒であり、且つコ字状移動体のパチンコ台の縦、横枠板に接する面が係止可能な褶動面（褶動板８２）に構成されている点にも特徴を有する（図４１）。また、
（２）該フレームが、矩形状平板単位から構成され、（イ）１枚の１段フレーム６（図３）、（ロ）複数枚を部分的に重ねた多段フレーム６、７（図４）、（ハ）１端又は両端に側板６３、６４を設けたフレーム６（図１５）、（ニ）１端又は両端に脚部６５付きフレーム（図１６）、（ホ）スライド式フレーム（図１５−（リ）〜（ワ））、（ヘ）脚部挟み付きフレーム（図１０−（ホ）、（ヘ））、（ト）Ｌ型バー付きフレーム（図１０−（ト））のいずれか又はその組合わせである点にも特徴を有する。また、
（３）  上記固定具が、（イ）Ｌ型磁石具（図５（イ）、図６（ロ）、（ハ））、板型磁石具（図５（ニ）、図７（ロ）、（ハ））、サイコロ型磁石具（図６（ロ））のいずれかであるか、
（ロ）リング状バネ型固定具（図９（イ）、（ハ））、クリップ型固定具（図９（ホ））、板状挟み型固定具（図１０（イ）、（ロ））、Ｌ型バー組立型固定具（図１０（ハ）、（ト））、スライド体脚状挟付固定具（図１０（ホ）、（ヘ））のいずれかであるか、
（ハ）フレーム取付ホルダ（図１１（イ））、フレーム取付首振りホルダ（図１１（ハ））、洗濯挟み型ホルダ（図１１（ホ））、半円型ホルダ（図１２（イ））、挟み型ホルダ（図１１（リ）〜（ル））、図１２（ハ）〜（ホ）、（オ））、カーブ型ホルダ（図１２（リ））、筒型ホルダ（図１２（ル））のいずれかであるか、
（ニ）円弧状レールとフレームとの固定には、レールの角度変化に対応した固定具であるか、
（ホ）釘等へのフレームの固定には、三日月筒型ホルダ（図１３（イ）、（ニ））、横向型ホルダ（図１３（ロ）、（ハ））、Ｌ型ホルダ（図１３（ホ）、（ヘ））、カーブ型ホルダ（図１３（ト）、（チ））のいずれかであるか、
（ヘ）役物へのフレームの固定には、Ｌ型又は板型フレームでは両面テ−プによる固定又は洗濯挟み型クリップによるか（図１４）、
（ト）丸形役物へのカーブ型フレームの固定には、両面テ−プによるか、
（チ）ゲージとフレームとの固定には、フレーム挿入用コ字状横スライダとゲージ挿入用Ｌ字状縦スライダとを互いに十字状に固着した固定具を用いる点にも特徴を有する。また、
【手続補正４】
【補正対象書類名】明細書
【補正対象項目名】００１１
【補正方法】変更
【補正の内容】
【００１１】
（４）フレーム押さえバーが、板状押さえバー（図２６（イ））、先端へこみ付き板状押さえバー（図２６（ロ））、両溝レール嵌め込み板状押さえバー（図２６（ハ））、把手付き円状外押さえバー（図２６（ホ））のいずれかである点にも特徴を有する。また、
（５）該ゲージの形状が、Ｌ型ゲージ（図１９（イ）、図２１（イ）〜（ハ）、（ト）〜（リ））、十字型ゲージ（図１９（ロ））、Ｔ字型ゲージ（図２１（ニ）〜（ヘ））、分度盤付きゲージ（図２０（ロ））、支持脚付きゲージ（図４（ハ））、蝶番纏め支持脚付きゲージ（図１９（ハ）、（ニ））、上・下逆向支持脚付型ゲージのいずれかである点にも特徴を有する。また、
【手続補正５】
【補正対象書類名】明細書
【補正対象項目名】００１２
【補正方法】変更
【補正の内容】
【００１２】
（６）角度測定冶具が、支持脚に一体に又は／及び着脱自在に設けられ、且つ（イ）支持脚下方部が角度測定用矩形を構成する冶具（図３０（イ））、（ロ）楔型（図３０（ロ）〜（ト）、図３７（イ））、（ハ）３角柱型（図３４（ヘ）〜（ト））、５角柱型（図３５（イ）〜（ハ））、６角柱型（図３５（ニ）〜（ヘ））、８角柱型等の多角柱型、（ニ）円錐型（図３４（ハ））、逆円錐型（図３４（ニ））、円筒型（図３４（ホ））等の丸型、（ホ）上下丸み付き４角柱型（図３５（ト））、３面丸み付き３角柱型（図３５（チ））、４面丸み付き４角柱型（図３５（リ））、４隅丸み付き４角柱型（図３６（イ））等の丸み付き多角柱型、（ヘ）５面丸み付き円柱型（図３６（ロ））、６面丸み付き円柱型（図３６（ハ））、７面丸み付き円柱型（図３６（ニ））、８面丸み付き円柱型（図３６（ホ））等の丸み付き円柱型、（ト）４隅角取り直方板型（図３６（ヘ））、４隅角取り４角柱型（図３６（ト））、４面・４隅角取り４角柱型（図３６（チ））等の角取り型、（チ）柱状突起型（図３０（チ）〜（ル）、図３１（イ）、（ロ））、ピン型（図３１（ハ）、図３２（ト））、板型（図３２（チ））、矩形型（図３３（イ）、（ロ））、二股型（図３２（ヘ）図３７（ロ））、台形型（図３３（ハ））、突起付きベース板型（図３３（ト）〜（リ）、図３４（イ）、（ロ））のいずれかである型であることを特徴とする。また、
【手続補正６】
【補正対象書類名】明細書
【補正対象項目名】００１３
【補正方法】変更
【補正の内容】
【００１３】
（７）着脱自在な角度測定冶具が磁性ゴム等の磁性材料から構成され、ゲージが鉄材等の磁性材料を吸着可能な吸磁性材料から構成される点にも特徴を有する。また、
（８）組物ゲージを構成する各種構成要素の内、少なくともフレーム、フレーム押えバー、ゲージ、ホルダが磁化されている点にも特徴を有する（図１）。また、
（９）フレーム中に釘頭の逃げ溝を設ける点にも特徴を有する（図３）。また、
（１０）フレームに重ねて補助フレームを設け釘頭の支えとする点にも特徴を有する（図３）。また、
（１１）支持脚の下方に釘頭を係止するフック、段差（図３２（ハ）、（ニ）図３３（ニ）〜（ヘ））、柱状突起（図３０（チ）〜（ル）、図３１（イ）、（ロ））、へこみ（図３３（ニ））、また釘軸合線（図３２（ロ）、図３７（イ））、支持脚の先端に丸み当接面（図３０（イ）、図３３（ロ）、図３７（イ））のいずれかを設ける点にも特徴を有する。また、
【手続補正７】
【補正対象書類名】明細書
【補正対象項目名】００１４
【補正方法】変更
【補正の内容】
【００１４】
（１２）ゲージを構成する基板に滑り止め孔等の滑り止め機構を設ける点にも特徴を有する（図１９（ロ））。また、
（１３）照明システムとして、スイッチ部、電源部を磁性ベース板に載せ、照明部を豆電球としてその間を配線で連絡して取外し自在とした点にも特徴を有する。また、
【手続補正８】
【補正対象書類名】明細書
【補正対象項目名】００１５
【補正方法】変更
【補正の内容】
【００１５】
（１４）照明システムにおいて、各スイッチ部、電源部と照明部との接続のために、両者の接続をコネクトを介してカールコード又はコードにより行う点にも特徴を有する。また、
（１５）ゲージを構成する基板端部の肩部に、支持脚又は支持脚に設けたその角度測定冶具の角度度数を表示する点にも特徴を有する（図３（ハ）、図４（ハ））。また、
（１６）パチンコ盤面に懸架したフレームを安定させるために、縦長細板状フレーム押さえバーを用いるか或いは該フレーム押さえバー自体もフレームＡ同様ゲージＢとの組物ゲージである点にも特徴を有する（図２６）。また、
（１７）ゲージが、基板に下げ振り又は／及び水準器を設けたゲージであるか、又はゲージを取付け且つ下げ振り又は／及び水準器を設けた補助板である点にも特徴を有する（図２７〜２９参照）。